(57)【要約】【課題】  本考案は個々の机に載置されているパソコン本体を共通のキャビネットに一括集中管理し、机にはキ−ボ−ド、マウス、ＣＲＴを置くことで効率のよいデスクワ−クが得られる電子機器収納キャビネットを提供する。【解決手段】    内部に電子機器を収納する電子機器収納キャビネットにおいて、キャビネット本体は前面に開閉扉を備えた直方体状に形成し、該本体内部に複数のパソコン本体、ハブ、モデム、ル−タ及び無停電電源装置等を収納し、また、キャビネット本体の少なくとも開閉扉には複数の放熱孔を穿設すると共に、該扉に施錠機構を設けるように構成し解決した。【選択図】図３
0003119883.tif 000002
【実用新案登録請求の範囲】
【請求項１】
内部に電子機器を収納する電子機器収納キャビネットにおいて、キャビネット本体は前面に開閉扉を備えた直方体状に形成され、該本体内部に複数のパソコン本体、ハブ、モデム、ルータ及び無停電装置等を収納したことを特徴とする電子機器収納キャビネット。
【請求項２】
前記直方体形状に形成されたキャビネット本体の少なくとも開閉扉には多数の放熱孔を穿設したことを特徴とする請求項１に記載の電子機器収納キャビネット。
【請求項３】
前記キャビネット本体の開閉扉に施錠機構を設けたことを特徴とする請求項１または請求項２に記載の電子機器収納キャビネット。
【考案の詳細な説明】
【技術分野】
【０００１】  本考案は、複数のパソコン本体、ハブ、モデム、ル−タ及び無停電電源装置等を収納する電子機器収納キャビネットに関するものである。
【背景技術】
【０００２】  従来、オフィスにおいては、机に一人一台のパソコン本体、キ−ボ−ド、マウス及びＣＲＴが載置され、プリンタタ−は複数人で使用していた。
【考案の開示】
【考案が解決しようとする課題】
【０００３】  しかしながら、このような状態では、パソコン本体に机の相当面積が占有され、デスクワ−クに弊害が生じ、また事務員同士のコムニケ−ションにも不都合があった。
さらには、ハブ、モデム等の管理面にも取扱いに個々の習熟の度合い等に差異があり問題があった。
そこで、本考案は個々の机に載置されているパソコン本体を共通のキャビネットに一括集中管理し、机にはキ−ボ−ド、マウス及びＣＲＴを置くことでデスクワ−クの効率化を図ることを目的とした電子機器収納キャビネットを創案することで解決した。
【課題を解決するための手段】
【０００４】  本考案は、内部に電子機器を収納する電子機器収納キャビネットにおいて、キャビネット本体は前面に開閉扉を備えた直方体状に形成し、該本体内部に複数のパソコン本体、ハブ、モデム、ル−タ及び無停電電源装置等を収納するように構成した。
また、キャビネット本体の少なくとも開閉扉には多数の放熱孔を穿設し、該開閉扉に施錠機構を設けるように構成した。
【考案の効果】
【０００５】  上述したように、本考案の電子機器収納キャビネットにおいて、個々の机に載置していた複数のパソコン本体、ハブ、ル−タ、無停電電源装置等をキャビネット本体に一括収納されたので、個々の机面積が従来に比べ広くなり有効なデスクワ−クが得られ、ハブ、ル−タ等取扱い管理上のトラブルの防止に役立つものである。
そして、従来各自のパソコン本体に外部のＣＤ等の媒体をインスト−ルしたり或いは閲覧等によるウィルスの侵入が防止できる。
また、開閉扉に多数の放熱孔を穿設したのでパソコン本体が発生する熱を放出し、機器類の安全管理を行うとともに、該放熱孔に異なるパソコン本体の電源スイッチ位置にも対応することができる。
さらに、開閉扉に施錠機構を設けたので、妄りに外部媒体のインスト−ル、閲覧或いはアプリケ−ションのインスト−ルを防止することができ、セキュリティが高まるものである。
【考案を実施するための最良の形態】
【０００６】  キャビネット本体を開閉機能を備えた前面板、背板、頂板、底板及び左右側板の直方体形状に構成し、その本体の内部には電子機器に対応して高さが調整可能な仕切り棚及び底部には搬送用のキャスタ−が備えられている。
そして、キャビネット本体の少なくとも前面板には多数の放熱孔を適宜間隔で多段にわたり整列穿設されている。放熱孔は好ましくは側面板或いは背板に設けることにより複数のパソコン本体がから発生する熱をより効率的な放熱作用が得られる。
また、前面扉に施錠機構を設けることでセキュリティを高める利点が生じる。
【実施例】
【０００７】  以下、添付図面に従って実施例を説明する。
１はスチ−ル、アルミ等の金属材或いは硬質合成樹脂材からなり、前面に開閉機能を備えた開閉扉１Ａ、背板１Ｂ、天板１Ｃ、底板１Ｄ及び左右側板１Ｅ、１Ｆの直方体形状のキャビネット本体であり、該本体１の内部には複数の摺動可能な仕切り棚１Ｇ、１Ｈ、１Ｊが適宜高さに調整して配置されている。１Ｋは搬送用キャスタ−である。１Ｌは前面扉１Ａに適宜間隔で整列状に設けられた略５０ｍｍ程度の放熱孔である。１Ｍはセキュリティを高めるために前面扉に設けられた施錠機構である。
２は電源スイッチ２Ａを具備したパソコン本体であり、仕切り棚１Ｇ及び１Ｈに各々載置されている。２Ｂは耐震用のパソコン本体固定レ−ルである。３は無停電電源装置、４はハブ、５はモデムであり、仕切り棚１Ｊに同じく載置されている。
６はキ−ボ−ド、７はマウス、８はＣＲＴ、９はコントロ−ルボックス、１０はコントロ−ルケ−ブルであり夫々キャビネット本体１に接続配線されている。１２は机であり、前記キ−ボ−ド６、マウス７及びＯＲＴ８が個々の机１２に配置されている。１１は椅子である。【０００８】  本考案の一実施例は上述のような構成からなるものであるから、複数のパソコン本体２はキャビネット本体１の多段の仕切り棚１Ｇ、１Ｈに集中して載置され、また、キャビネット本体１の下部の仕切り棚１Ｊには無停電電源装置３、ハブ４、モデム５等の電子機器が一括して集中管理されるので各々の机１２の執務スペ−スが広くなり、効果的なデスクワ−クが得られ、また対面する事務員同士のコミュニケ−ションにも有効に機能するものである。
また、キャビネット本体１の開閉扉１Ａには多数の放熱孔１Ｌが穿設されているので、収納されている複数のパソコン本体２から発生される熱を有効に放熱すとともに、電子機器類の配列、或いは配線等が簡略化され、メンテナンスが容易である。
さらに、開閉扉１Ａに施錠機構１Ｍを設けることによりセキュリティを高めることに寄与するものである。
なお、本考案は実施例の形態の構成に限定されるものではなく、本考案の要旨の範囲内で種々の変形が可能である。
【図面の簡単な説明】
【０００９】
【図１】  本考案における複数のパソコン本体をキャビネット本体に収納し、キ−ボ−ド、マウス及びＣＲＴが机に配置さた斜視図である。
【図２】  同じく平面図である。
【図３】  同じくキャビネット本体に複数のパソコン本体、無停電電源装置、ハブ、モデムを収納した斜視図である。
【図４】  同じくキャビネット本体の斜視図である。
【符号の説明】
【００１０】    １      キャビネット本体
１Ａ    開閉扉
１Ｂ    背板
１Ｃ    天板
１Ｄ    底板
１Ｅ    左側板
１Ｆ    右側板
１Ｇ、１Ｈ、１Ｊ    仕切り棚
１Ｋ    キャスタ−
１Ｌ    放熱孔
１Ｍ    施錠機構
２      パソコン本体
２Ａ    パソコン本体電源装置
２Ｂ    パソコン本体固定レ−ル
３      無停電電源装置
４      ハブ
５      モデム
６      キ−ボ−ド
７      マウス
８      ＣＲＴ
９      コントロ−ルボックス
１０    コントロ−ルケ−ブル
１１    椅子
１２    机
【図１】
0003119883.tif 000003
【図２】
0003119883.tif 000004
【図３】
0003119883.tif 000005
【図４】
0003119883.tif 000006